(57)【要約】【課題】スプロケットを用いたソレノイド方式の払出装置は検出センサが上下の２個であるが、上の１個にするとバウンド現象で計数にミスが発生する問題がある。安価であるが自由落下する球を１個１個、係止を解除する方式のためモ−タ−方式に比べ、不正行為に弱点があると思われていた。【解決手段】（１）  払出の計数にかかわる信号を払出ソレノイドを動作させる信号と検出センサエッジのＡＮＤ処理出力を利用することでし、バウンド現象に起因する計数ミスを無くした。（２）  払出ソレノイドが不作動時の球の流出を簡単、確実に区分し、確実に異常状態を発見し、異常時、払出ソレノイドの上流部に停止ソレノイドを設け異常時に停止ソレノイドの動力で流失を阻止するためモ−タ−方式に劣らない不正耐力を有する。【選択図】図１
2009072553.tif 000002
【特許請求の範囲】
【請求項１】
遊技盤に付けられた複数個の入賞口検出器の信号を受け入れるＣＰＵを含む遊技制御基板と、ＣＰＵを含む払出制御基板を備え、賞球の球供給路と払出通路の間にスプロケットを配置し、スプロケットの回転をソレノイドのオン、オフで制御し、一球毎の払出を可能とするため、スプロケットの球供給路側に１個の検出センサを配置し、上記検出センサが球有りを検出した時にソレノイドをオンさせ、上記検出センサが球無を検出した時にソレノイドをオフさせる制御をするにあたり、払出した球の計数を上記払出制御基板のＣＰＵ内で、上記検出センサエッジとソレノド駆動信号のアンド信号で行うことを特徴とし、球供給路を落下する賞球がスプロケットと衝突することによるバウントで計数ミスが生ずることを防止したことを特徴とするパチンコ機。
【請求項２】
請求項１であって、
払出した球の計数を、払出制御基板のＣＰＵ内で上記検出センサエッジとソレノイド駆動信号のアンド信号で行うことから、ソレノイドを駆動していない時に複数回の検出センサエッジを検出した時に不正行為又は装置の不具合と判断し、異常を報知する機能を付加したことを特徴とするパチンコ機。
【請求項３】
請求項１であって、
払出した球の計数を、払出制御基板のＣＰＵ内で上記検出センサエッジとソレノイド駆動信号のアンド信号で行うことから、ソレノイドを駆動していない時に複数回の検出センサエッジを検出した時に不正行為又は装置の不具合と判断し、球供給路の球の通過を阻止するプランジャ−を有するソレノイドを設け、球の流出を防止したことを特徴とするパチンコ機。
【発明の詳細な説明】
【技術分野】
【０００１】  本発明は、パチンコ機の球の払出しに関連する。すなわち、賞球の払出しおよび遊技球の球貸し動作に関連する。
【背景技術】
【０００２】  パチンコ機の賞球の払出しは、古くは機械式が用いられたが、本件の発明者等が昭和６３年に出願し登録された実公平６−３６５６「パチンコ機」に見られるように電子式の払出装置が広く用いられ、遊技盤の各入賞口毎に任意の賞球払出しを可能とし遊技の幅を広げ、パチンコ業界の発展に貢献した。【０００３】  現在では、全ての払出装置は電子式となり、モ−タ−方式とソレノイド方式に二分される。パチンコ業界は大発展に大発展を重ね、高額な金額が関連することもあり、単価、消費エネルギ−等はあまり注意を払われて来なかった。結果、高額になるモ−タ−方式が主流となっているが、やっと、資源、エネルギ−を大切にする気運も高まって来た。
【発明の開示】
【発明が解決しようとする課題】
【０００４】
【０００５】  本発明が解決しようとする課題は、
（１）実公平６−３６５６で開示したソレノイド方式は安価で部品点数も少ないが、球の検出センサを上下の２個が必須となっていた。検出センサを１個にし、センサに関連する周辺部品も半分にし、安価、資源の節約の向上を課題とした。
（２）検出センサ２個方式はセンサ自体の不良発生時の対応が、２個有るが故、安全と思い勝ちであるが、実際は複雑になり、問題点も発見されている。１００万時間に１度しか不具合が出ない部品でも２個使えば５０万時間で不具合発生が、とも言える。即ち、信頼性の更なる向上も課題である。
（３）ソレノイド方式は自由落下する球を係止、開放で制御すのを基本とする為、安価で省エネルギ−であるが動力で球を制御するモ−タ−方式より不正行為に弱いと言う課題がある。
上記（１）（２）（３）が、解決しようとする課題である。
【課題を解決する為の手段】
【０００６】  請求項１のパチンコ機は、遊技盤に付けられた複数個の入賞口検出器の信号を受け入れるＣＰＵを含む遊技制御基板と、ＣＰＵを含む払出制御基板を備え、賞球の球供給路と払出通路の間にスプロケットを配置し、スプロケットの回転をソレノイドのオン、オフで制御し、一球毎の払出を可能とするため、スプロケットの球供給路側に１個の検出センサを配置し、上記検出センサが球有りを検出した時にソレノイドをオンさせ、上記検出センサが球無を検出した時にソレノイドをオフさせる制御をするにあたり、払出した球の計数を上記払出制御基板のＣＰＵ内で、上記検出センサエッジとソレノイド駆動信号のアンド信号で行うことを特徴とし、球供給路を落下する賞球がスプロケットと衝突することによるバウンドで計数ミスが生ずることを防止したことを特徴とするパチンコ機であるから、計数センサが半分の１個に成ると共にセンサに関連するノイズ対策の抵抗、コンデンサも半分になり、安価、資源の節約で課題（１）で述べた課題に効用があると共に（２）の課題の信頼性向上の効用もある。
【０００７】  請求項２のパチンコ機は、遊技盤に付けられた複数個の入賞口検出器の信号を受け入れるＣＰＵを含む遊技制御基板と、ＣＰＵを含む払出制御基板を備え、賞球の球供給路と払出通路の間にスプロケットを配置し、スプロケットの回転をソレノイドのオン、オフで制御し、一球毎の払出を可能とするため、スプロケットの球供給路側に１個の検出センサを配置し、上記検出センサが球有りを検出した時にソレノイドをオンさせ、上記検出センサが球無を検出した時にソレノイドをオフさせる制御をするにあたり、払出した球の計数を払出制御基板のＣＰＵ内で、上記検出センサエッジとソレノイド駆動信号のアンド信号で行うことから、ソレノイドを駆動していない時に複数回の検出センサエッジを検出した時に不正行為又は装置の不具合と判断し異常を報知する機能を付加したことを特徴とするパチンコ機であるから、２個のセンサを用い２個のセンサ間の信号関係から不正行為、装置の不具合を判定する方式に対し簡単、確実で信頼性が向上し（２）の課題に効用がある。
【０００８】  請求項３のパチンコ機は、遊技盤に付けられた複数個の入賞口検出器の信号を受け入れるＣＰＵを含む遊技制御基板と、ＣＰＵを含む払出制御基板を備え、賞球の球供給路と払出通路の間にスプロケットを配置し、スプロケットの回転をソレノイドのオン、オフで制御し、一球毎の払出を可能とするため、スプロケットの球供給路側に１個の検出センサを配置し、上記検出センサが球有りを検出した時にソレノイドをオンさせ、上記検出センサが球無を検出した時にソレノイドをオフさせる制御をするにあたり、払出した球の計数を払出制御基板のＣＰＵ内で、上記検出センサエッジとソレノイド駆動信号のアンド信号で行うことから、ソレノイドを駆動していない時に複数回の検出センサエッジを検出した時に不正行為又は装置の不具合と判断し、球供給路の球の通過を阻止するプランジャ−を有するソレノイドで賞球の流失を防止出来、安価なソレノイド方式でありながらモ−タ−方式に劣らない不正耐性能力を持ち（３）の課題に効用がある。
【発明を実施する為の最良の形態】
【０００９】
【００１０】  図１は本発明の実施例の構成図である。図２は実施例のタイミングチャ−ト図である。図３は実施例の動作を説明する為のフロ−チャ−ト図である。
【００１１】  さて、図１で、１は遊技制御基板あり、内部にマイクロコンピュ−タ−であるＣＰＵ２が設けられ、ＣＰＵ２には図示しない遊技盤に付けられた複数の入賞口検出器３からの入力信号が与えられている。各入賞口検出器への入賞はＣＰＵに例えば３個、５個、１５個と場所毎に決められた賞球の要求を入賞球が有る毎にする。
【００１２】  ４は払出制御基板であり内部にマイクロコンピュ−タ−であるＣＰＵ５を含み、後述する払出ソレノイドと球の検出センサで賞球の払出動作を行う。その動作の概要は、今、遊技盤の入賞口３の５個払出しの場所と１５個払出しの場所に２個の入賞が有ったとする。ＣＰＵ２はＣＰＵ５に５個と１５個の要払出数の指示を出力し、内部の記憶素子に２０個が未払い出しと記憶する。ＣＰＵ５も要払出残数が２０個と記憶する。払出ソレノイドと検出センサで１球、１球払い出されると、ＣＰＵ５内では要払出残数は１９，１８と減算され、１球毎に払出返信パルスがＣＰＵ２に返される事からＣＰＵ２内でも未払い出し数は１９，１８と減算管理される。
【００１３】  球の払出は賞球の払出だけでなく、遊技者が遊技開始に当り球を借りる時にも行われる。ＣＲ機の場合もあれば、現金機の場合もあるがどちらにせよ、球貸ユニット６から球貸要求信号が払出制御基板４に入れば、１００円に付き２５個の球が払い出され、球貸ユニットに対して球貸完了信号が出力される。
【００１４】  さて、本発明の重要部分の説明に入る。図示されないパチンコ機の上方の賞球タンクから賞球７は裏セット盤８の球供給路８ａ、払出ユニット９、裏セット盤の払出通路８ｂへと流れる。ここで、払出ユニット９は裏セット盤８の凹部に着脱可能に装着され、図示しない止具で固着されている。払出ユニット９内には球供給路８ａに繋がる球供給路９ａが設けられスプロケット１０を介して払出通路９ｂへと繋がり、裏セット盤の払出通路８ｂに繋がることから、スプロケットの回転、停止で払出制御が可能とされている。図で７個の賞球は実線で示したが２個は点線で示し、且つ、矢印線が書かれているのは１個の球がスプロケットで衝突しバウンドしたことを示している。
遊技は大当たり時には大量の賞球払出をさせる為、補給が間に合わず図示の様に空の状態への球の流入、衝突が起こる。景品を伴い正確な個数の払出が生命の払出装置、特にはソレノイド方式払出装置で１個検出センサ方式が危険で実用に成らなかった原因がここにある。
【００１５】  スプロケット１０は回転可能に軸支され、外周には多数の球受け凹部１０ａが設けられており、払出ソレノイド１１の支持板１１ａに回動可能に軸着された可動鉄片１２はスプロケット１０に対するストッパ−となっている。可動鉄片１２と払出ソレノイド１１の支持板１１ａの一部間には引張りバネ１３が取り付けられ払出ソレノイド１１が非励磁の時はスプロケットを掛止し回転を止め、払出ソレノイドを励磁すればスプロケットを回転自由にする。スプロケットの球供給路９ａ側には検出センサ１４が設けられ、球の有無、流出したか否かを検知する。
【００１６】  払出ユニット９内の球供給路の一部には停止用開口９ｃが設けられており、停止用開口９ｃに出入りして賞球の落下を停止するプランジャ−１５を駆動する停止ソレノイド１６が設けられている。なを、プランジャ−１５は停止ソレノイドが非励磁の時は賞球の落下を妨げない方向に圧縮バネ１７の力を受けている。停止ソレノイド１６は通常の動作時には作用せず、装置の不具合、不正行為で球が落下する時の保護部材である。
【００１７】  次に図２のタイミングチャ−トを用いて動作の説明を行う。正常動作時には払出ユニット９内のスプロケット１０に球が有り、検出センサ１４は球有りでハイの信号を出している。遊技制御基板からの指示で賞球の払出が必要な状態で払い出すべき数が２個であったとする。球も有り、払出の指示もあるが直ちには払出ソレノイド１１をオンにはせず、Ｔａの球有り確認時間の後にＳＯＬＢをオンにして払出ソレノイドを励磁する。Ｔｂの通電時間で検出センサは球が落下し球無しを知らせる。検出センサの信号変化はＣＰＵ５の中でソフト処理され検出センサエッジが作られる。図の下部の検出センサエッジ読込説明図に示すように、この事例では２割込み以上球有り状態から２割込み球無しが有った時のみ球の落下が有ったとし、出力する。図の例では割込みのナンバ−７、１８の瞬間のみが球の落下が有ったと扱われる。本発明ではＣＰＵ内で作られた検出センサエッジその物で払出制御基板内で払出数の減算処理及び遊技制御基板への返信はしない。
【００１８】  ＣＰＵ内でＳＯＬＢが立ち上がった時に立ち上がり、ＳＯＬＢが立ち下がった時からＴｎ遅れて立ち下がるＳＯＬＦなる信号をつくる。ＳＯＬＦとはソレノイド状態フラグの意味であり、ＳＯＬＢとはソレノイドバッファの意味である。ＳＯＬＦと検出センサエッジをＡＮＤ処理してＡＮＤ処理後検出センサエッジを作成する。ＡＮＤ処理後検出センサエッジを確認し払出制御基板内では払出数の減算処理がされるし、ＡＮＤ処理後センサエッジに基づく払出返信パルスで遊技制御基板は未払いだし数の減算を行う。確実な通信を保つ為、払出返信パルスは１０ｍＳとか２０ｍＳのパルスにされる。
【００１９】  次に球がスプロケットと衝突しバウンドが発生した時に関して述べる。検出センサに示す様に球がセンサを通過し、一旦、球有りが確認された後、反発で球がセンサ領域から離れ球無しの時間が生じ、その後安定に球有り状態で安定している。衝突の状態で波形は種種に変化し、検出センサエッジにパルスとして現れない時も有るし、複数の検出センサエッジが現れる時も有る。また、検出センサエッジを読み取るソフトの形式にも大きく依存する。
【００２０】  図示の例では検出センサエッジが１個示されているが、払出ソレノイドを作動させるＳＯＬＢが立っていない時であり、当然ＳＯＬＦも立っていず、ＡＮＤ処理で作られるＡＮＤ処理後検出センサエッジも発生しない（点線で示すのはＡＮＤで消えた事を示す）、よって、計数に影響は生じない。
【００２１】  次に不正行為、不良発生時の説明をする。スプロケット１０のストッパ−である可動鉄片１２をワイヤ−等で解除すれば、賞球は自由落下で大量に流出する、この時の波形を検出センサの「不正行為。不良発生時波形」で示す。球有りと球無しの繰り返しが１秒間に５０回程繰り返され、球有り時間と球無し時間は共に１０ｍＳ程となる。不良発生とは払出ソレノイド１１を駆動するトランジスタ−が導通状態で破壊した時等で同一の波形となる。
【００２２】  不正行為、不良発生時は球が客側に出るため、店側が不利益となる。この問題を解決するため、図中のＡＮＤ処理後検出センサエッジの点線で示すパルスの複数回の発生を条件にして停止ソレノイド１６を作動させ球の流出を停止する。点線で示したパルスは払出ソレノイドが動作していない状態と、検出センサエッジが発生した、の条件のＡＮＤ出力を表している。違う言葉で表せば、本来払出されてはいけない時に払出が複数回あれば停止ソレノイドで流出を停止する。となる。
【００２３】  次に図３のフロ−チャ−ト図を用いて動作の説明を行う。（ａ）はタイマ−割込みで実行されるプログラムであり、１ｍＳとか２ｍＳ毎の定められた時間の繰返しでスタ−トからエンドまでが実行される。（ｂ）と（ｃ）はエラ−発生時の動作内容を示す。
Ｓ１で毎割込み毎に入力処理が行われる、１：として検出センサのレベル読込がされる。図２の下部に示した球が有るか無いかの時々の状態を読み取る仕事であり、２：には検出センサのエッジ判定を行う事であり、３：には要払出数読込である。遊技制御基板からの払出数の指示値を読取る作業であり、普通には外部割込みプログラムが用いられ本例の様にタイマ−割込みではないが目的が同じであることからタイマ−割込み処理として表記する。４：は球貸しユニットの状態を読込み、球の貸し出しの為の払出か賞球の払出作業かを判断する為の読込である。
【００２４】  Ｓ２では要払出数が有るか否かが判定される。内容は賞球の要払出数を管理するカウンタ−の値が０か否かで判定される（球貸し動作時なら球貸し数を管理するカウンタ−の値が０か否かで判定）。いま、無しならＳ１５へ分岐するが有りならＳ３へ進む、Ｓ３では払出すべき球が有るか否かが判定される、有ればＳ４へ進み、球有り確認時間経過？が判定される、実際には２０ｍＳ程の時間の待機動作であり、その間はＳ１５へと分岐する、目的は払出速度が過度に速く、補給が間に合わない問題を解消することと、球がスプロケットで安定停止するのを待つことである。図２の記号Ｔａはこの球有り確認時間を示すものである。
【００２５】  時間経過し、Ｓ５へ進むとＳＯＬＢに１が立てられる。これはＳ２５のＰＯＲＴ出力で払出ソレノイドを動作させる準備である。次に、Ｓ６でＳＯＬＦＣに数値ｎが入れられる。Ｓ７でＳＯＬＦに１が立てられる。この意味は図２で説明したＡＮＤ処理後検出センサエッジを作る為のＳＯＬＦを立て、ＳＯＬＢが無くなったｎ割込み分後までＳＯＬＦを有効にさせＡＮＤ動作を確実にさせる行為である。
【００２６】  次にＳ８へ進み球が無くなったかが判定されるが、ＳＯＬＢに１を立ててもＰＯＲＴ出力もしていないのだから球は当然無くなっていず、Ｓ１３へ進み、１００ｍＳ経過もしていないからＳ１５へ進む、球は動いていないからＳ１５では無しへ分岐し、Ｓ２２へ進む、Ｓ２２、Ｓ２３、Ｓ２４は後述するＳ２０で作られる払出返信パルスのオン時間を限定するプログラムであるが、払出返信パルスがオンに成っていないので何の動作もせずにＳ２５の出力処理の１：ＰＯＲＴ出力にＳＯＬＢを入れる、即ち、払出ソレノイド１１を通電し、１回のプログラム実行は終了する。
【００２７】  次々とスタ−トからの実行がされ、図２のＳＯＬＢのＴｂの時間まではＳ１、Ｓ２、Ｓ３、Ｓ４、Ｓ５、Ｓ６、Ｓ７、Ｓ８、Ｓ１３、Ｓ１５、Ｓ２２、Ｓ２３、Ｓ２４、Ｓ２５が繰返され球が落下し、検出センサが信号を発し、Ｓ１の入力処理で検出センサ信号が読取られると、Ｓ８でＹＥＳに分岐し、Ｓ９でＳＯＬＢに０が書き込まれる、これは、Ｓ２５で払出ソレノイドをオフにする準備である。Ｓ２７は後で説明する事とし、Ｓ１０ではＳＯＬＦＣの値ｎが１減算され、Ｓ１１でＳＯＬＦＣが０になったか否かが判定される。初めの割込みでは０には成らずＳ１５、Ｓ２２、Ｓ２３、Ｓ２４、Ｓ２５と進み、ＰＯＲＴ出力にＳＯＬＢの０を入れ、払出ソレノイドは非導通にされる。続くｎ−１回目の割込みでＳ１１はＳＯＬＦＣが０に成り、Ｓ１２へ分岐する。Ｓ１２ではＳＯＬＦに０が書き込まれる。
【００２８】  ＳＯＬＦはＳ７で１が立てられＳ１２でクリヤ−されるまで、図２で示すＴｂ＋Ｔｎの間１である。この間にＳ１５での検出センサエッジ判定で有が確認される。有ならＳ１６へ進み、ＳＯＬＦと検出センサエッジがＡＮＤされる。Ｓ１７では、ＡＮＤ処理後検出センサエッジが有るか否かが判定される。正常払出の今は有でＳ１８へ進み、要払出数を１減ずる。図２と合わせ２個を払出す場合とすれば、残る要払出残数は１個に変化する。
【００２９】  次にＳ１９で現在行っている払出動作が球貸し動作か、賞球の払出かを判定する。球貸しなら、遊技制御基板に払出返信パルスを出さないし、賞球払出なら払出返信パルスを出す。今は賞球払出とし、Ｓ２０で、バッファである払出返信パルスＢに１を立てる。次にパルス幅を決める為にカウンタ−であるパルスＣに数値、例えば１０を入れる。次にＳ２２でパルスＣの値を１減ずる。次に、Ｓ２３でパルスＣの値が０に成ったかを判定する。勿論、初めは０ではないので、Ｓ２５へ分岐しＰＯＲＴ出力に払出返信パルスＢの値を入れるとハイの出力をする。次の割込みスタ−トではＳ１５で検出センサエッジは無いから、Ｓ２２へ分岐し１が減ぜられる、次の割込み、次の割込みとＳ２２で減じられ９回目の割込みでＳ２３での判定は０となり、Ｓ２４へ進み、払出返信パルスＢに０が書き込まれ、Ｓ２５でその出力パルスはロ−となる。
【００３０】  説明の初めの部分で、Ｓ２が有で、Ｓ３を当然のごとく有としたが、無の場合を説明する。無だからＳ８へ分岐する、「球無くなったか？」とエッジ判定のような表現をしたがレベル判定とする。ＹＥＳに分岐し、Ｓ９でＳＯＬＢに０を入れる、この状態はもともとＳＯＬＢは０であり、害は無い。Ｓ２７の説明は後にして、Ｓ１０でＳＯＬＦＣは１を減ぜられる。０の状態からＦＦになり、Ｓ１１からはＳ１５へ分岐する。繰返しの割込みで、Ｓ１１で０が判定され、Ｓ１２へ分岐し、ＳＯＬＦに０が書き込まれるが元々０の状態に０を上書きするのみで害は無い。
【００３１】  次にＳ１７でＡＮＤ処理後検出センサエッジが無くなる場合を説明する。図２で示したようにバウンドで検出センサエッジが発生したか、不正行為、不良発生時で検出センサエッジが発生した時の取扱である。すなわち、払出ソレノイドが動作していない時に発生した検出センサエッジの取扱である。
【００３２】  払出ソレノイドが作動していないのに検出センサエッジが確認された場合は、Ｓ２６でカウンタ−であるＢＯＵＮＤＣに１を加算する。次に、Ｓ２８でＢＯＵＮＤＣの値が規定値Ｍ以上かが判定される。スプロケットとの衝突によるバウンドに起因する検出センサエッジなのか不正行為、不良発生による検出センサエッジなのかの判別がその目的である。
【００３３】  規定値Ｍを今、３とする。種種の実験でスプロケットに球が衝突してのバウンドは一度の衝突では３を超える事はない。勿論、累積させれば大きな回数に成るが、説明を後にしてきたＳ２７のＢＯＵＮＤＣ←０を説明する。
Ｓ９の動作の後の状態とは以下の状態を意味する。Ｓ３，Ｓ４，Ｓ５，で球の存在を確認し、Ｔａの球有り確認時間も確保し、払出ソレノイドを確実に作動させ、Ｓ８で間違いなく球が落下した事を確認し、Ｓ９で払出ソレノイドをオフにした。すなわち、「Ｓ９の後の位置は正常に払出動作が行われた後」と同意と言える。
Ｓ２７のプログラムがＳ９の後に配置された事で、バウンドによる検出センサエッジの加算値は正常払出毎にクリヤ−され、Ｓ２８の判定でＭ値以上になりＥＲＲ２へ分岐することは無い。
【００３４】  一方、不正行為、不良発生時の検出センサエッジは払出ソレノイドが駆動されていない時に発生する物と定義付けできるものであり、Ｓ９の次のＳ２７を通ることは無い。
すなわち、ＢＯＵＮＤＣはクリヤ−される事がないので、異常な払出値がＭを超えれば確実にＥＲＲ２へ分岐する。
【００３５】  今までの説明で、ＳＯＬＦ、ＳＯＬＦＣを用いて検出センサエッジ信号が払出ソレノイドの動作時に生じたパルスか否かを説明したが、これは説明を分かり易くする手段であり、Ｓ１６のＡＮＤ操作する部分をＳＯＬＢがクリヤ−されるＳ９の前のＳ１とＳ２の間等に配置すれば、ＳＯＬＢのみでも構成できる。すなわち、ＳＯＬＦ、ＳＯＬＦＣは必須のものではない。重要な事はＣＰＵ５内で真にソレノイドが動作しての検出センサエッジかソレノイドが動作していない時の検出センサエッジかの区分である。請求の範囲で言う「ソレノイド駆動信号」はＳＯＬＦに限定するものではない。
【００３６】  次に（ｂ）のエラ−の説明をする。Ｓ１３で１００ｍＳが経過するとは、Ｓ２で球が確認された後、ソレノイドを１球落下させるに十分な時間な通電をしても、落下が確認できないのであるから、Ｓ３０でソレノイドをオフにする。この理由は検出センサが球有り状態で破壊している可能性があるからである。放置すれば大量の球が流失する。１００ｍＳは１〜２個の流失は認める事を意味する。Ｓ３１はエラ−の発生を払出制御基板経由遊技制御基板に信号を送りスピ−カ−等を用いて異常を知らせる事である。Ｓ３２、Ｓ３３は任意の時間例えば３０秒間はソレノイドを振動動作させる、その理由は検出センサの破壊ではなく、埃等の異物が球の落下を妨げている事を想定しての異物除去動作と、スプロケットの刃先先端と球供給路９ａの壁面で球が食付きを起こし落下しない場合の対策である。３０秒経過でスタ−トに戻す事で１００ｍＳ毎に１〜２個の球の流出をしながらＳ３１のエラ−表示、球が出ない事での客の苦情で修理を待つ動作を行う。なを、検出センサが球無し状態に破壊した場合はＳ３の判定で払出動作が開始しない事で明確に判る。
【００３７】  次に（ｃ）のエラ−の説明をする。ＥＲＲ２は不正行為又は装置の不良発生の対応である。Ｓ３４で停止ソレノイド１６を励磁してプランジャ−１５で球供給路を遮断する。
Ｓ３５でのエラ−表示出力はＳ３１と同様に遊技制御基板まで信号を送りスピ−カ−等で緊急事態を知らせる。この状態はル−プ状態で示すように電源断まで継続する。
【００３８】  さて、課題と対比しながら本発明の効用、効果を確認する。検出センサを１個にしてバウンドによる計数ミスを無くする方法は、本発明のＡＮＤを取る方法以外にも有る事が、本件検討の中で明らかとなった。１つにはスプロケットに至る流路の形の検討である。カ−ブを強く、多くして球の落下速度を落とし衝突時の反発を無視できる程に設計する事である。但し、払出速度が遅くなる欠点が生じる。
他にも、検出センサエッジのサンプリングの時間の設定を変える等の方法が有る。が、ＡＮＤを取る本方式がシンプルで、且つ、払出速度性能を落とさない点で優れる。
【００３９】  課題２の信頼性の向上に関しても、部品数の低減はそのまま、払出ユニット全体の信頼性向上になる。特に、不良発生時にパチンコ店と製造メ−カ−間で対策、対応する時に不具合原因の種類が少なくなったことが連携を確実にさせる点で有用な効果を現す。
【００３６】  課題３のモ−タ−方式に劣らない不正耐力に関しては、自由落下を利用する払出ソレノイドと通電して落下を防止する停止ソレノイドを組にして用いる事で何ら劣ることはない。
総合して、モ−タ−方式は１球、１球、動力で排出する点で安心感はある。しかし、払出速度は遅くなりがちであり、速めるには大型のパルスモ−タ−を必要とし、パルスモ−タ−、モ−タ−駆動回路が高価になる。また、モ−タ−を駆動する電力も無視し難い問題である。それに対し、本発明のソレノイド方式は部品点数が少なく、安価で、省エネルギ−で、不正行為、部品破壊にも確実に対応出来、優れた点が多い。
【図面の簡単な説明】
【００３７】
【図１】  本発明の実施例を示す構成図。
【図２】  本発明の動作を説明するタイミングチャ−ト図
【図３】  本発明の動作を説明するフロ−チャ−ト図
【符号の説明】
【００３８】  １………………………遊技制御基板
２………………………ＣＰＵ２  （マイクロコンピュ−タ−）
３………………………入賞口検出器
４………………………払出制御基板
５………………………ＣＰＵ５  （マイクロコンピュ−タ−）
６………………………球貸ユニット
７………………………賞球
８………………………裏セット盤
９………………………払出ユニット
１０……………………スプロケット
１１……………………払出ソレノイド
１２……………………可動鉄片
１３……………………引張りバネ
１４……………………検出センサ
１５……………………プランジャ−
１６……………………停止ソレノイド
１７……………………圧縮バネ
【図１】
2009072553.tif 000003
【図２】
2009072553.tif 000004
【図３】
2009072553.tif 000005